(57)【特許請求の範囲】
【請求項１】
画像撮影手段を装備した情報処理端末であって、
前記画像撮影手段にて撮影した撮影データを記憶する撮影データ記憶手段と、
前記撮影データの内容を解析し、当該撮影データを所定のデータ形式に変換して変換データを生成する画像変換手段と、
を備え、
前記画像変換手段は、前記撮影データ内の予め定められた特徴を有する特徴部分としてホワイトボード部分を認識して当該ホワイトボード部分を１枚のスライドを表すスライドデータとして変換すると共に、当該ホワイトボード部分内の文字部分と図形部分とをそれぞれ認識するよう解析して前記スライドデータ上に前記文字部分と前記図形部分とを配置し、プレゼンテーション文書のデータ形式である変換データを生成する、
ことを特徴とする情報処理端末。
【請求項２】
画像撮影手段を装備した情報処理端末であって、
前記画像撮影手段にて撮影した撮影データを記憶する撮影データ記憶手段と、
前記撮影データを変換するデータ形式の選択を受け付けるデータ形式選択手段と、
前記撮影データの内容を解析し、当該撮影データを前記データ形式選択手段にて選択されたデータ形式に変換して変換データを生成する画像変換手段と、
を備え、
前記データ形式選択手段は、発表用資料を作成・表示するためのプレゼンテーションソフト用のデータ形式の選択を受け付け、
前記画像変換手段は、前記撮影データ内の予め定められた特徴を有する特徴部分としてホワイトボード部分を認識して当該ホワイトボード部分を１枚のスライドを表すスライドデータとして変換すると共に、当該ホワイトボード部分内の文字部分と図形部分とをそれぞれ認識するよう解析して前記スライドデータ上に前記文字部分と前記図形部分とを配置し、プレゼンテーション文書のデータ形式である変換データを生成する、
ことを特徴とする情報処理端末。
【請求項３】
前記画像変換手段にて変換した前記変換データを所定の表示部から表示出力し、保存指令を受けた後に、当該変換データを所定の記憶部に記憶する表示出力手段を備えた、
ことを特徴とする請求項１又は２に記載の情報処理端末。
【請求項４】
ネットワークを介して他の情報処理装置と通信を行う通信手段を備えると共に、
前記画像変換手段にて変換した前記変換データを、前記通信手段を介して他の情報処理装置に送信する送信出力手段を備えた、
ことを特徴とする請求項１乃至３のいずれかに記載の情報処理端末。
【請求項５】
前記画像変換手段は、前記撮影データ内から予め定められたルールに基づいてデータ送信宛先となりうるデータを抽出し、
前記送信出力手段は、前記抽出したデータ送信宛先を表すデータにて特定されるアドレスデータに対して、前記画像変換手段にて変換した前記変換データを送信する、
ことを特徴とする請求項４に記載の情報処理端末。
【請求項６】
通話手段を備えた携帯電話端末である、
ことを特徴とする請求項１乃至５のいずれかに記載の情報処理端末。
【請求項７】
画像撮影手段を装備した情報処理端末に、
前記画像撮影手段にて撮影した撮影データを記憶部に記憶する撮影データ記憶処理手段と、
前記撮影データの内容を解析し、当該撮影データを所定のデータ形式に変換して変換データを生成する画像変換手段と、
を実現させると共に、
前記画像変換手段は、前記撮影データ内の予め定められた特徴を有する特徴部分としてホワイトボード部分を認識して当該ホワイトボード部分を１枚のスライドを表すスライドデータとして変換すると共に、当該ホワイトボード部分内の文字部分と図形部分とをそれぞれ認識するよう解析して前記スライドデータ上に前記文字部分と前記図形部分とを配置し、プレゼンテーション文書のデータ形式である変換データを生成する、
ことを実現させるためのプログラム。
【請求項８】
画像撮影手段を装備した情報処理端末に、
前記画像撮影手段にて撮影した撮影データを記憶部に記憶する撮影データ記憶処理手段と、
前記撮影データを変換するデータ形式の選択を受け付けるデータ形式選択手段と、
前記撮影データの内容を解析し、当該撮影データを前記データ形式選択手段にて選択されたデータ形式に変換して変換データを生成する画像変換手段と、
を実現させると共に、
前記データ形式選択手段は、発表用資料を作成・表示するためのプレゼンテーションソフト用のデータ形式の選択を受け付け、
前記画像変換手段は、前記撮影データ内の予め定められた特徴を有する特徴部分としてホワイトボード部分を認識して当該ホワイトボード部分を１枚のスライドを表すスライドデータとして変換すると共に、当該ホワイトボード部分内の文字部分と図形部分とをそれぞれ認識するよう解析して前記スライドデータ上に前記文字部分と前記図形部分とを配置し、プレゼンテーション文書のデータ形式である変換データを生成する、
ことを実現させるためのプログラム。
【請求項９】
所定の場面を撮影して、当該撮影した撮影データを記憶する撮影データ記憶工程と、
前記撮影データの内容を解析し、当該撮影データを所定のデータ形式に変換して変換データを生成する画像変換工程と、
を有し、
前記画像変換工程は、前記撮影データ内の予め定められた特徴を有する特徴部分としてホワイトボード部分を認識して当該ホワイトボード部分を１枚のスライドを表すスライドデータとして変換すると共に、当該ホワイトボード部分内の文字部分と図形部分とをそれぞれ認識するよう解析して前記スライドデータ上に前記文字部分と前記図形部分とを配置し、プレゼンテーション文書のデータ形式である変換データを生成する、
ことを特徴とする画像変換方法。
【請求項１０】
所定の場面を撮影して、当該撮影した撮影データを記憶する撮影データ記憶工程と、
前記撮影データを変換するデータ形式の選択を受け付けるデータ形式選択工程と、
前記撮影データの内容を解析し、当該撮影データを前記データ形式選択工程にて選択されたデータ形式に変換して変換データを生成する画像変換工程と、
を有し、
前記データ形式選択工程は、発表用資料を作成・表示するためのプレゼンテーションソフト用のデータ形式の選択を受け付け、
前記画像変換工程は、前記撮影データ内の予め定められた特徴を有する特徴部分としてホワイトボード部分を認識して当該ホワイトボード部分を１枚のスライドを表すスライドデータとして変換すると共に、当該ホワイトボード部分内の文字部分と図形部分とをそれぞれ認識するよう解析して前記スライドデータ上に前記文字部分と前記図形部分とを配置し、プレゼンテーション文書のデータ形式である変換データを生成する、
ことを特徴とする画像変換方法。
【請求項１１】
前記画像変換工程にて変換した前記変換データを所定の表示部から表示出力し、保存指令を受けた後に、当該変換データを所定の記憶部に記憶する表示出力工程を有する、
ことを特徴とする請求項９又は１０に記載の画像変換方法。
【請求項１２】
前記画像変換工程にて変換した前記変換データを、ネットワークを介して他の情報処理装置に送信する送信出力工程を有する、
ことを特徴とする請求項９乃至１１のいずれかに記載の画像変換方法。
【請求項１３】
前記画像変換工程は、前記撮影データ内から予め定められたルールに基づいてデータ送信宛先となりうるデータを抽出し、
前記送信出力工程は、前記抽出したデータ送信宛先にて特定されるアドレスデータに対して、前記画像変換工程にて変換した前記変換データを送信する、
ことを特徴とする請求項１２に記載の画像変換方法。
【発明の詳細な説明】
【技術分野】
【０００１】
本発明は、情報処理装置にかかり、特に、画像撮影装置を備えた情報処理装置に関する。
【背景技術】
【０００２】
近年、デジタルカメラの小型化や、カメラが搭載された携帯電話機の普及により、画像撮影機能を有する情報処理端末をユーザが携帯する機会が増加している。これに伴い、ユーザがカメラにて所定の画像を撮影する機会も増加しており、ユーザ自身が必要としている情報を含む画像を、常に撮影することが可能である。そして、ユーザは、取得した画像に含まれる情報を後に使用する場合には、撮影した画像をそのまま閲覧して用いる、あるいは、加工して用いることができる。また、ユーザは、画像を見ながらコンピュータを用いて自らオフィス文書などの文書データの作成を行うこともできる。
【０００３】
ところが、撮影した画像をそのまま使用する場合には、文字等が不鮮明になることや内容を編集することが制限されるなど、ユーザにとって不都合が生じうる。また、撮影した画像を見て新たな文書データを作成することは、ユーザにとって手間がかかり、また、情報の正確性が欠ける、という問題がある。
【０００４】
これに対して、特許文献１，２，３では、画像データを取得して、当該画像に含まれる文字等を含む文書データに変換する、という技術を開示している。また、特許文献４では、ＸＭＬなどの構造化された文書データのフォーマットを別のフォーマットに変換する、という技術を開示している。
【０００５】
【特許文献１】特開２００２−７９５３号公報
【特許文献２】特開２００４−２７２６５８号公報
【特許文献３】特開２００５−２３１２８７号公報
【特許文献４】特開２００５−９２２８１号公報
【発明の開示】
【発明が解決しようとする課題】
【０００６】
しかしながら、上述した特許文献１，２，３に開示の技術では、画像データを特定の文書データに変換することは可能であるが、ユーザが必要とするフォーマットの文書データに変換することができない、という問題がある。また、上述した特許文献４に開示の技術では、画像データから所望のフォーマットに変換することができない、という問題がある。このため、上記特許文献に開示の技術では、画像データから所望のフォーマットのデータを得るためには、画像データを特定のフォーマットに変換した後に、さらに、所望のフォーマットに変換する処理を行う必要があり、ユーザによる操作の手間が生じる。さらには、装置の変換処理における負荷も増加し、高速な変換を実行することができない。
【０００７】
このため、本発明の目的は、上述した課題である、取得した画像から所望のデータ形式のデータを容易かつ迅速に生成し、ユーザの利便性の向上を図る、ことにある。
【課題を解決するための手段】
【０００８】
そこで、本発明の一形態である画像撮影手段を装備した情報処理端末は、
画像撮影手段にて撮影した撮影データを記憶する撮影データ記憶手段と、
撮影データを変換するデータ形式の選択を受け付けるデータ形式選択手段と、
撮影データの内容を解析し、当該撮影データをデータ形式選択手段にて選択されたデータ形式に変換して変換データを生成する画像変換手段と、
を備えた、という構成を採る。
【０００９】
また、本発明の他の形態であるプログラムは、
画像撮影手段を装備した情報処理端末に、
画像撮影手段にて撮影した撮影データを記憶部に記憶する撮影データ記憶処理手段と、
撮影データを変換するデータ形式の選択を受け付けるデータ形式選択手段と、
撮影データの内容を解析し、当該撮影データをデータ形式選択手段にて選択されたデータ形式に変換して変換データを生成する画像変換手段と、
を実現させる、という構成を採る。
【００１０】
さらに、本発明の他の形態である画像変換方法は、
所定の場面を撮影して、当該撮影した撮影データを記憶する撮影データ記憶工程と、
撮影データを変換するデータ形式の選択を受け付けるデータ形式選択工程と、
撮影データの内容を解析し、当該撮影データをデータ形式選択工程にて選択されたデータ形式に変換して変換データを生成する画像変換工程と、
を有する、という構成を採る。
【発明の効果】
【００１１】
本発明は、以上のように構成されるため、ユーザは、撮影した撮影データから、容易かつ迅速に所望のデータ形式の変換データを得ることができ、利便性の向上を図ることができる。
【発明を実施するための最良の形態】
【００１２】
本発明の一形態である情報処理端末は、
画像撮影手段を装備した情報処理端末であって、
画像撮影手段にて撮影した撮影データを記憶する撮影データ記憶手段と、
撮影データを変換するデータ形式の選択を受け付けるデータ形式選択手段と、
撮影データの内容を解析し、当該撮影データをデータ形式選択手段にて選択されたデータ形式に変換して変換データを生成する画像変換手段と、
を備えた、という構成を採る。
【００１３】
上記発明によると、情報処理装置は、まず、所定の場面の画像を撮影し、その撮影データを記憶する。その後、情報処理装置は、撮影データの変換を希望するデータ形式の選択の入力を受け付ける。そして、情報処理装置は、撮影データの内容を解析して、その解析結果に基づいて、当該撮影データを選択されたデータ形式に変換して変換データを生成する。これにより、情報処理端末で撮影した撮影データを、当該情報処理端末にてユーザが希望するデータ形式に変換することができる。従って、ユーザは、容易かつ迅速に所望のデータ形式の変換データを得ることができ、利便性の向上を図ることができる。
【００１４】
そして、上記データ形式選択手段は、所定の文書データを表すデータ形式の選択を受け付ける、という構成を採る。例えば、上記データ形式選択手段は、文書を作成するワープロソフト用のデータ形式、数値データの集計・分析に用いる作表アプリケーションソフト用のデータ形式、発表用資料を作成・表示するためのプレゼンテーションソフト用のデータ形式、のうち少なくとも１つのデータ形式の選択を受け付ける、という構成を採る。
【００１５】
また、上記画像変換手段は、撮影データに含まれる文字部分と図形部分とをそれぞれ認識するよう当該撮影データを解析し、文字部分と図形部分とをそれぞれ含む変換データに変換する、という構成を採る。そして、上記画像変換手段は、撮影データ内の情報が有する予め定められた特徴に応じて、当該撮影データに含まれる文字部分と図形部分とを認識するよう解析する、という構成を採る。さらに、上記画像変換手段は、撮影データ内の予め定められた特徴を有する特徴部分を認識し、当該特徴部分を予め設定されたデータ形式に変換して変換データを生成する、という構成を採る。
【００１６】
これにより、撮影データ内の特徴に応じて、文字部分、図形部分、さらには、特定の特徴部分を認識し、認識した各部分に基づいて変換データを生成する。従って、変換処理の効率化及び迅速化、さらには、端末の低負荷化を図ることができる。
【００１７】
また、上記情報処理端末は、画像変換手段にて変換した変換データを所定の表示部から表示出力し、保存指令を受けた後に、当該変換データを所定の記憶部に記憶する表示出力手段を備えた、という構成を採る。また、上記情報処理端末は、ネットワークを介して他の情報処理装置と通信を行う通信手段を備えると共に、画像変換手段にて変換した変換データを、通信手段を介して他の情報処理装置に送信する送信出力手段を備えた、という構成を採る。そして、上記画像変換手段は、撮影データ内から予め定められたルールに基づいてデータ送信宛先となりうるデータを抽出し、上記送信出力手段は、抽出したデータ送信宛先を表すデータにて特定されるアドレスデータに対して、画像変換手段にて変換した変換データを送信する、という構成を採る。
【００１８】
これにより、情報処理装置は、変換した変換データを表示出力することでユーザが変換状況を確認して保存したり、あるいは、他の情報処理装置にネットワークを介して出力することができる。従って、変換データを種々の場面で利用することができ、さらなる利便性の向上を図ることができる。
【００１９】
そして、上記情報処理端末は、例えば、通話手段を備えた携帯電話端末である。これにより、常時携帯する携帯電話端末にて撮影した撮影データを所望のデータ形式に迅速かつ容易に変換することができる。従って、ユーザは、あらゆる状況で所望のデータを得ることができるため、さらなる利便性の向上を図ることができる。
【００２０】
また、本発明の他の形態であるプログラムは、画像撮影手段を装備した情報処理端末に、画像撮影手段にて撮影した撮影データを記憶部に記憶する撮影データ記憶処理手段と、撮影データを変換するデータ形式の選択を受け付けるデータ形式選択手段と、撮影データの内容を解析し、当該撮影データをデータ形式選択手段にて選択されたデータ形式に変換して変換データを生成する画像変換手段と、を実現させる、という構成を採る。そして、上記データ形式選択手段は、所定の文書データを表すデータ形式の選択を受け付ける、という構成を採る。
【００２１】
また、本発明の他の形態である画像変換方法は、所定の場面を撮影して、当該撮影した撮影データを記憶する撮影データ記憶工程と、撮影データを変換するデータ形式の選択を受け付けるデータ形式選択工程と、撮影データの内容を解析し、当該撮影データをデータ形式選択工程にて選択されたデータ形式に変換して変換データを生成する画像変換工程と、を有する、という構成を採る。
【００２２】
そして、上記データ形式選択工程は、所定の文書データを表すデータ形式の選択を受け付ける、という構成を採る。例えば、上記データ形式選択工程は、文書を作成するワープロソフト用のデータ形式、数値データの集計・分析に用いる作表アプリケーションソフト用のデータ形式、発表用資料を作成・表示するためのプレゼンテーションソフト用のデータ形式、の少なくとも１つのデータ形式の選択を受け付ける、という構成を採る。
【００２３】
また、上記画像変換工程は、撮影データに含まれる文字部分と図形部分とをそれぞれ認識するよう当該撮影データを解析し、文字部分と図形部分とをそれぞれ含む変換データに変換する、という構成を採る。また、上記画像変換工程は、撮影データ内の情報が有する予め定められた特徴に応じて、当該撮影データに含まれる文字部分と図形部分とを認識するよう解析する、という構成を採る。さらに、上記画像変換工程は、撮影データ内の予め定められた特徴を有する特徴部分を認識し、当該特徴部分を予め設定されたデータ形式に変換して変換データを生成する、という構成を採る。
【００２４】
また、上記画像変換工程にて変換した変換データを所定の表示部から表示出力し、保存指令を受けた後に、当該変換データを所定の記憶部に記憶する表示出力工程を有する、という構成を採る。また、上記画像変換工程にて変換した変換データを、ネットワークを介して他の情報処理装置に送信する送信出力工程を有する、という構成を採る。そして、上記画像変換工程は、撮影データ内から予め定められたルールに基づいてデータ送信宛先となりうるデータを抽出し、上記送信出力工程は、抽出したデータ送信宛先にて特定されるアドレスデータに対して、画像変換工程にて変換した変換データを送信する、という構成を採る。
【００２５】
上述した構成のプログラム、画像変換方法であっても、上記情報処理端末と同様の作用を有するため、上述した本発明の目的を達成することができる。
【００２６】
以下、本発明の具体的な構成及び動作を、実施形態にて説明する。なお、以下の実施形態では、主に、情報処理端末の一例として、カメラを装備した携帯電話端末を挙げて説明する。但し、本発明は、カメラなどの画像撮影手段を備え、情報処理機能を有していれば、いかなる情報処理端末であっても適用可能である。例えば、デジタルカメラ自体であってもよく、カメラを備えたＰＤＡ（Personal Digital Assistant）やポータブルゲーム機、さらには、ノートパソコンであってもよい。
【００２７】
＜実施形態１＞
本発明の第１の実施形態を、図１乃至図７を参照して説明する。図１乃至図２は、携帯電話の構成を示すブロック図である。図３乃至図５は、撮影データの変換例を示す図である。図６は、携帯電話の動作を示すフローチャートであり、図７は、表示画面の遷移を示す図である。
【００２８】
［構成］
本実施形態における携帯電話１は、図１に示すように、被写体を撮影するカメラ部２（画像撮影手段）と、撮影した画像である撮影データの解析や携帯電話自体の動作を制御する演算装置であるＣＰＵ（Central Processing Unit）５と、携帯電話の制御プログラムや撮影データなどが保存される記憶装置であるメモリ６と、を備えている。また、携帯電話１は、各種操作を行うテンキーなどの操作部３と、各種情報の表示を行う表示部４と、他の電話端末との通話やインターネットへの接続を行う無線部７と、各種データを外部機器に送信するようやり取りを行う赤外線通信部などの外部Ｉ／Ｆ部８と、を備えている。なお、上記構成のうち、既存の携帯電話で技術的に実現されているものについては、詳細な説明は省略する。
【００２９】
次に、上記ＣＰＵ５とメモリ６の構成について、図２を参照して説明する。図２に示すように、ＣＰＵ５は、所定のプログラムが組み込まれることによって実現される、撮影処理部５１と、変換指示受付処理部５２と、解析・変換処理部５３と、データ出力処理部５４と、を備えている。また、メモリ６は、撮影データ記憶部６１と、解析ルール記憶部６２と、変換定義記憶部６３と、変換データ記憶部６４と、を備えている。以下、各処理部５１〜５４、及び、各記憶部６１〜６４について詳述する。
【００３０】
上記撮影処理部５１（撮影データ記憶処理手段）は、操作部３から撮影指令を受けて、カメラ部２にて所定の場面の撮影を行い、その撮影画像である撮影データを、撮影データ記憶部６１（撮影データ記憶手段）に記憶する。例えば、撮影処理部５１は、図７に示す携帯電話１の表示画面Ｄ１に示すように、撮影した撮影データを携帯電話１の表示部４に表示する。そして、かかる画面に対して、ユーザにて「変換」ボタン、あるいは、「保存」ボタンが押下されると、その撮影データを撮影データ記憶部６１に保存する。
【００３１】
また、上記変換指示受付処理部５２（データ形式選択手段）は、上述したカメラ部２にて取得して撮影データ記憶部６１に記憶した撮影データを変換するデータ形式（フォーマット）の選択を受け付ける。ここで、選択可能なデータ形式は、例えば、予め変換定義記憶部６３に設定されており、主にビジネス文書である所定の文書データを表すデータ形式を選択可能である。ここでは、文書を作成するワープロソフト用のデータ形式、数値データの集計・分析に用いる作表アプリケーションソフト用のデータ形式、発表用資料を作成・表示するためのプレゼンテーションソフト用のデータ形式、と言ったデータ形式を選択可能である。但し、変換可能であり選択可能なデータ形式は、上述したものに限定されない。
【００３２】
そして、変換指示受付処理部５２は、具体的には、撮影後に表示された図７の表示画面Ｄ１において、「変換」ボタンが押下されると、図７の表示画面Ｄ２に示すように、変換可能なデータ形式を指定する画面に遷移し、各データ形式を表す情報を表示する。ここでは、上述した３つのデータ形式（ワープロ、表計算、プレゼンテーション）を表示している。そして、これらのうち、ユーザにて選択されたデータ形式を受け付けて、解析・変換処理部５３に通知する。なお、ここでは、複数のデータ形式を選択することも可能である。
【００３３】
そして、上記解析・変換処理部５３（画像変換手段）は、変換対象となる撮影データの内容を解析し、当該撮影データを選択されたデータ形式に変換して変換データを生成する機能を有する。具体的に、解析・変換処理部５３は、まず、撮影データを撮影データ記憶部６１から読み出して、解析ルール記憶部６２に記憶された解析ルールに基づいて、撮影データを解析する。ここで、解析ルール記憶部６２は、解析ルールとして、文字部分や図形部分として認識するための予め定められた文字や図形の特徴を表す情報を記憶している。そして、解析・変換処理部５３は、上記解析ルールに含まれる文字や図形の特徴が、撮影データ内に存在するか否かを調べ、存在していた場合には、その部分を文字部分あるいは図形部分として認識する。
【００３４】
さらに具体的に、文字部分を認識するための解析ルールは、種々の文字形状を表す文字パターン情報であり、これら文字パターン情報とのマッチングによって、撮影データ内の文字部分を認識する。このとき、文字パターン情報は、例えば、特定の人の筆跡であってもよい。このようにすることで、特定の人が書いた文字の認識精度及び速度が向上しうる。また、解析ルールを、例えば、文字部分のうち罫線で囲まれた部分を、表に含まれる文字部分として認識するよう設定してもよい。さらには、解析ルールを、撮影データ内の文字の色に応じて、特定の色の文字を文字部分として認識したり、逆に、特定の色の文字を文字部分とは認識せずに図形部分として扱うよう、設定してもよい。
【００３５】
また、図形部分を認識するための解析ルールは、具体的には、四角形など所定の形状で囲まれた部分を示す図形パターン情報であり、当該パターン情報とのマッチングによって撮影データ内の図形部分を認識する。さらに、解析ルールとしては、特別な特徴を表すパターン情報を記憶していてもよく、これに対応する文字部分あるいは図形部分を、特別の変換処理を行う特徴部分として認識してもよい。例えば、長方形形状で、背景色が白か緑色の部分を特徴部分として認識するよう設定した場合には、かかる特徴部分をホワイトボードや黒板であると認識し、後述するように、この部分のみプレゼンテーション文書に変換してもよい。
【００３６】
また、解析・変換処理部５３は、上述したように解析した撮影データの解析結果に基づいて、認識した文字部分と図形部分とを含む、上記変換指示受付処理部５２にて選択されたデータ形式の文書データに変換する。なお、変換処理は、変換定義記憶部６３に予め記憶された、各データ形式の変換データを生成するために必要な変換定義を表す情報に基づいて実行される。ここで、図３乃至図５に、変換処理の一例を示す。
【００３７】
図３は、撮影データをワープロ文書のデータ形式に変換する例であり、左側に撮影データ１００を示しており、右側に変換データ２００を示している。ここでは、撮影データ１００は、文字の集合である文字部分１０１，１０３が記載され、また、画像１０２が貼り付けられた、ホワイトボードを撮影したものである。すると、解析・変換処理部５３は、上記撮影データ１００を上述したように解析し、符号１０１，１０３で示す文字部分と、符号１０２で示す図形部分と、を認識する。そして、ワープロ文書用の変換定義に基づいて、文字部分１０１，１０３と図形部分１０２とをワープロ文書上に配置し、ワープロ文書である変換データ２００を生成する。
【００３８】
図４は、撮影データを表計算文書のデータ形式に変換する例であり、左側に撮影データ１１０を示しており、右側に変換データ２１０を示している。ここでは、撮影データ１１０は、種々の文字情報を含む名刺を撮影したものである。すると、解析・変換処理部５３は、上記撮影データ１１０を上述したように解析し、各文字部分を認識する。例えば、解析ルールに基づいて、最上段に位置する文字や「会社」とある文字部分は、「会社名」として認識し、中央付近に位置する大きい文字部分は「氏名」であると認識する。そして、表計算文書用の変換定義に基づいて、表計算文書上に各項目に対応して、認識した文字部分を配置し、表計算文書である変換データ２１０を生成する。
【００３９】
図５は、撮影データをプレゼンテーション文書のデータ形式に変換する例であり、左側に撮影データ１２０を示しており、右側に変換データ２２０を示している。ここでは、撮影データ１２０は、ある発表の場面を撮影したものであり、例えば、発表に用いたホワイトボード１２１が写っている。そして、ホワイトボード１２１には、文字の集合である文字部分１２３が記載され、また、画像１２２が貼り付けられている。すると、解析・変換処理部５３は、上記撮影データ１２０を上述したように解析し、まず、ホワイトボード１２１自体を特定の部分として認識する。さらに、このホワイトボード１２１内の文字部分１２３と図形部分１２２とを認識する。そして、プレゼンテーション文書用の変換定義に基づいて、ホワイトボード１２１自体を１枚のスライドとして変換し、当該スライド上に文字部分２２３と図形部分２２２とを配置し、プレゼンテーション文書である変換データ２２０を生成する。
【００４０】
なお、解析・変換処理部５３は、変換指示受付処理部５２にて複数のデータ形式が選択されている場合には、当該選択されている各データ形式に対応して、それぞれ変換データを生成する。また、解析・変換処理部５３は、特定の部分を認識した場合に、かかる部分のみを別途、変換データに変換してもよい。例えば、ホワイトボード部分を認識した場合には、選択されたデータ形式の変換データを生成することに加えて、ホワイトボード部分のみをプレゼンテーション文書として生成してもよい。
【００４１】
また、上記データ出力処理部５４（表示出力手段、送信出力手段）は、上述したように解析・変換処理部５３にて変換して生成した変換データを出力したり、変換データ記憶部６４に記憶する。例えば、データ出力処理部５４は、図７の表示画面Ｄ３に示すように、表示部４に変換データをプレビュー表示する。そして、かかるプレビューに対してユーザから保存指令の入力を受けると、変換データをデータ出力処理部５４に保存する。また、外部Ｉ／Ｆ部８（通信手段）を介して他の携帯電話などの情報処理装置に、変換データを送信することも可能である。さらには、無線部７（通信手段）にてネットワークを介して他の携帯電話などの情報処理端末に変換データを送信することも可能である。
【００４２】
［動作］
次に、上記構成の携帯電話１の動作を、図６のフローチャート、及び、図７の画面遷移を参照して説明する。
【００４３】
まず、ユーザが携帯電話１の操作部３を操作して、カメラ部２にて撮影を行う（ステップＳ１）。すると、携帯電話１は、図７に示す表示画面Ｄ１に示すように、撮影した撮影データを表示部４に表示する。ユーザは、撮影した撮影データを確認し、これを変換する場合には、操作部３を操作して「変換」ボタンを押下する。これを受けて、携帯電話１は、撮影データを撮影データ記憶部６１に保存する（撮影データ記憶工程）。
【００４４】
続いて、携帯電話１は、図７の表示画面Ｄ２に示すように、変換可能なデータ形式を指定する画面に遷移し、各データ形式を選択可能なよう表示する。ここでは、ワープロ、表計算、プレゼンテーションといった、３つのデータ形式を表示する。そして、ユーザは、操作部３から希望するデータ形式の選択操作を行い、携帯電話１はデータ形式の選択を受け付ける（ステップＳ３、データ形式選択工程）。
【００４５】
続いて、携帯電話１は、撮影データを選択されたデータ形式に変換すべく、当該撮影データの解析を行う（ステップＳ４）。このとき、予め記憶された解析ルールに基づいて、例えば、文字部分と図形部分とを認識する。そして、撮影データを、解析結果に基づいて、上述した図３，４，５に示すよう、ワープロ文書、表計算文書、プレゼンテーション文書など、選択されたデータ形式に変換して変換データを生成する（ステップＳ５、画像変換工程）。
【００４６】
その後、携帯電話１は、図７の表示画面Ｄ３に示すように、生成した変換データを表示部４にプレビュー表示する（ステップＳ６）。そして、ユーザは、プレビューされた変換データの内容を確認して、「保存」ボタンを押下することで、変換データを携帯電話１内に保存することができる（ステップＳ７、表示出力工程）。なお、変換処理をやり直す場合には、図７の表示画面Ｄ３で「やり直し」ボタンを選択する。すると、図７の表示画面Ｄ２に戻り、データ形式の指定からやり直すことができる。
【００４７】
その後、ユーザは必要に応じて、保存した変換データを携帯電話１の表示部４に表示したり、外部Ｉ／Ｆ部８や無線部７を介して、他の情報処理装置に送信することができる（送信出力工程）。
【００４８】
以上のように、本発明によると、カメラ付き携帯電話１にて撮影した撮影データを、当該携帯電話１にてユーザが希望するデータ形式に変換することができる。従って、ユーザは、容易かつ迅速に所望のデータ形式の変換データを得ることができる。特に、常時携帯する携帯電話１にて撮影からデータ形式の変換まで実行することができるため、ユーザの利便性の向上を図ることができる。
【００４９】
＜実施形態２＞
次に、本発明の第２の実施形態を、図８乃至図１０を参照して説明する。図８は、携帯電話の構成を示すブロック図である。図９は、携帯電話の動作を示すフローチャートであり、図１０は、表示画面の遷移を示す図である。
【００５０】
［構成］
本実施形態における携帯電話１は、図８に示すように、上述した実施形態１のものとほぼ同様の構成を採っている。但し、本実施形態では、撮影データの内容を、既存の変換データに追加して変換データを上書き生成することが可能な点で異なる。以下、その構成についてさらに詳述する。
【００５１】
まず、本実施形態における変換指示受付処理部５２は、まず、図１０の表示画面Ｄ１１に示すように、表示部４に撮影データを表示して、ユーザに変換対象となる撮影データを選択させる機能を有する。また、変換指示受付処理部５２は、図１０の表示画面Ｄ１２に示すように、撮影データの変換先となる変換データをユーザに選択させる機能を有する。例えば、変換データ記憶部６４に記憶されている既存の変換データのファイル名を表示すると共に、新規作成の旨を表示し、ユーザからの選択を受け付ける。そして、変換指示受付処理部５２は、新規作成が選択されると、上記実施形態１の場合と同様に、図１０の表示画面Ｄ１３に示すよう、データ形式の選択画面を表示し、ユーザから変換するデータ形式の選択を受け付ける。なお、表示画面Ｄ１２で、既存の変換データを選択した場合には、選択した既存の変換データのデータ形式が指定されたこととなる。
【００５２】
また、本実施形態における解析・変換処理部５３は、上述したように既存の変換データが選択された場合には、当該変換データに撮影データの内容を追加して、変換データを更新する機能を有する。例えば、ワープロ文書やプレゼンテーション文書の場合には、撮影データの内容のページを追加して、変換データを更新する。あるいは、表計算文書の場合には、新たなシートや、行、列を追加して変換データを更新する。
【００５３】
［動作］
次に、上記構成の携帯電話１の動作を、図９のフローチャート、及び、図１０の画面遷移を参照して説明する。
【００５４】
まず、ここでは、既に携帯電話１に、複数の撮影データが記憶されていることとする（撮影データ記憶工程）。そして、ユーザがある撮影データの変換を希望する場合には、携帯電話１の操作部３を操作して、撮影データの選択を行う。例えば、携帯電話１は、図１０の表示画面Ｄ１１に示すように、記憶している撮影データを表示部４に表示する（ステップＳ１１）。ユーザは、表示された撮影データのうち、変換を希望する撮影データを選択する（ステップＳ１２）。
【００５５】
続いて、携帯電話１は、図１０の表示画面Ｄ１２に示すように、変換データの選択画面を表示する。ユーザは、新規に変換する場合には、「新規」を選択する（ステップＳ１３で「新規」）。すると、携帯電話１は、図１０の表示画面Ｄ１３に示すように、変換可能なデータ形式を指定する画面に遷移し、各データ形式を選択可能なよう表示する。そして、ユーザは、操作部３から希望するデータ形式の選択操作を行い、携帯電話１はデータ形式の選択を受け付ける（ステップＳ１４、データ形式選択工程）。そして、上述同様に、撮影データの解析を行い（ステップＳ１５）、選択したデータ形式への変換処理を行う（ステップＳ１６、画像変換工程）。
【００５６】
一方、図１０の表示画面Ｄ１２で、ユーザが既存の変換データ（画面Ｄ１２で、番号２，３，４など）を選択すると（ステップＳ１３で「既存」）、携帯電話１は既存の変換データに撮影データの内容を追加する処理として受け付ける。そして、撮影データの解析を行い（ステップＳ１５）、当該撮影データの内容を既存の変換データ内に追加して、変換データを更新する（ステップＳ１６、画像変換工程）。
【００５７】
その後、携帯電話１は、図１０の表示画面Ｄ１４に示すように、生成した変換データを表示部４にプレビュー表示する（ステップＳ１７）。そして、ユーザは、プレビューされた変換データの内容を確認して、「保存」ボタンを押下することで、変換データを携帯電話１内に保存することができる（ステップＳ１８、表示出力工程）。そして、ユーザは必要に応じて、保存した変換データを携帯電話１の表示部に表示したり、外部Ｉ／Ｆ部８や無線部７を介して、他の情報処理装置に送信することができる（送信出力工程）。
【００５８】
＜実施形態３＞
次に、本発明の第３の実施形態を、図１１乃至図１３を参照して説明する。図１１は、携帯電話の構成を示すブロック図である。図１２は、携帯電話の動作を示すフローチャートであり、図１３は、表示画面の遷移を示す図である。
【００５９】
［構成］
本実施形態における携帯電話１は、図１１に示すように、上述した実施形態１のものとほぼ同様の構成を採っている。但し、本実施形態では、さらに、撮影データに含まれているデータ送信宛先に対して、当該撮影データを変換した変換データを自動的に送信することが可能な構成を有する。以下、かかる構成についてさらに詳述する。
【００６０】
まず、本実施形態における変換指示受付処理部５２は、まず、図１３の表示画面Ｄ２３に示すように、ユーザに変換データの送信先を指定させるか、あるいは、自動送信設定を選択させる機能を有する。このとき、送信先の指定を選択した場合には、予めアドレスデータ記憶部６５に記憶されている電子メールアドレスなどの送信先を、ユーザが指定する。一方、自動送信設定を選択した場合には、その旨を解析・変換処理部５３に通知する。
【００６１】
また、本実施形態における解析・変換処理部５３は、まず、上述同様に、撮影データを解析して、選択されたデータ形式の変換ファイルを生成する。また、解析・変換処理部５３は、撮影データ内に含まれているデータ送信宛先となりうるデータを抽出する。例えば、解析ルールに、認識した文字部分に「氏名」や「電話番号」、「メールアドレス」などの個人を特定できる文字をデータ送信宛先情報として認識するというルールを設定しておく。例えば、漢字や数字、アルファベットなどの羅列を、データ送信宛先情報として認識するルールを設定する。そして、解析・変換処理部５３は、上記解析ルールに基づいて抽出したデータ送信宛先情報から、直接、あるいは、間接的に、変換データを送信する宛先となるアドレスデータを特定する。例えば、抽出した電子メールアドレスをそのままアドレスデータとして特定したり、あるいは、抽出した氏名や電話番号に対応するアドレスデータを、アドレスデータ記憶部６５から特定する。そして、特定したアドレスデータを、データ出力処理部５４に通知する。
【００６２】
また、上記データ出力処理部５４は、特定したアドレスデータに対して、変換した変換データを無線部７を介して送信する。また、上述したように、変換指示受付処理部５２にて事前に送信先をユーザが指定した場合には、その指定した送信先となるアドレスデータに対して、変換した変換データを送信する。
【００６３】
［動作］
次に、上記構成の携帯電話１の動作を、図１２のフローチャート、及び、図１３の画面遷移を参照して説明する。
【００６４】
まず、ユーザが携帯電話１の操作部３を操作して、カメラ部２にて撮影を行う（ステップＳ２１）。すると、携帯電話１は、図１３の表示画面Ｄ２１に示すように、撮影した撮影データを表示部４に表示する。ユーザは、撮影した撮影データを確認し、これを変換する場合には、操作部３を操作して「変換」ボタンを押下する。これを受けて、携帯電話１は、撮影データを撮影データ記憶部６１に保存する（ステップＳ２２、撮影データ記憶工程）。
【００６５】
続いて、携帯電話１は、図１３の表示画面Ｄ２２に示すように、変換可能なデータ形式を指定する画面に遷移し、各データ形式を選択可能なよう表示する。そして、ユーザは、操作部３から希望するデータ形式の選択操作を行い、携帯電話１はデータ形式の選択を受け付ける（ステップＳ２３、データ形式選択工程）。
【００６６】
続いて、携帯電話１は、撮影データを変換した変換データの送信先を指定する。ここでは、撮影データに含まれるデータ送信宛先に対して、自動的に変換データを送信する自動送信を指定することとする（ステップＳ２４）。
【００６７】
続いて、携帯電話１は、撮影データを選択されたデータ形式に変換すべく、当該撮影データの解析を行う（ステップＳ２５）。このとき、同時に、撮影データ内からデータ送信宛先となる情報を抽出する（ステップＳ２６）。そして、抽出した宛先情報がメールアドレスであれば、そのまま送信先を表すアドレスデータとして特定する。一方、抽出した宛先情報が、氏名などの個人を特定する情報である場合には、この情報に対応するメールアドレスといったアドレスデータを、アドレスデータ記憶部６５内から氏名等のマッチングにて特定する（ステップＳ２７）。
【００６８】
その後、上述したように解析した撮影データを、解析結果に基づいて、選択されたデータ形式に変換して変換データを生成する（ステップＳ２８、画像変換工程）。そして、上述した実施形態１と同様に、図１３の表示画面Ｄ２４に示すように、生成した変換データを表示部４にプレビュー表示する（ステップＳ２９）。そして、ユーザは、プレビューされた変換データの内容を確認して、「保存」ボタンを押下することで、変換データを携帯電話１内に保存することができる（ステップＳ３０、表示出力工程）。
【００６９】
その後、図１３の表示画面Ｄ２５に示すように、上述したように自動送信設定にて特定されたアドレスデータ、あるいは、ユーザが指定した送信先となるアドレスデータを表示する。これに対して、ユーザがさらに送信先を選択したり、あるいは、「ＯＫ」を入力することで、表示されたアドレスデータに対して、変換データを送信する（ステップＳ３１、送信出力工程）。そして、携帯電話１は、送信が完了した後には、図１３の表示画面Ｄ２６に示すように、「送信完了」を表示する。
【００７０】
以上のように、上記実施形態によると、カメラ付き携帯電話１にて撮影した撮影データを所望のデータ形式に変換した変換データを、当該撮影データに個人を特定する情報が写っている者に対して自動的に送信することができる。従って、撮影データに基づく資料を必要とする関係者に対して、容易に送信することができ、利便性の向上を図ることができる。
【００７１】
＜実施形態４＞
本発明の第４の実施形態を、図１４を参照して説明する。図１４は、情報処理端末１００の構成を示す図である。この図に示すように、本実施形態における情報処理端末１００は、上述した携帯電話１とほぼ同様の構成を有する。そして、この情報処理端末１００は、特に、本発明の目的を達成すべく、必要最低限の構成を備えている。つまり、上述したカメラ部２及び撮影処理部５１による画像撮影手段と、変換指示受付処理部５２であるデータ形式選択手段と、解析・変換処理部５３である画像変換手段と、を備えている。これにより、１台の情報処理端末にて、撮影した撮影データをユーザが希望するデータ形式に変換することができる。従って、ユーザは、容易かつ迅速に所望のデータ形式の変換データを得ることができ、利便性の向上を図ることができる。
【産業上の利用可能性】
【００７２】
本発明は、カメラを備えた携帯電話やＰＤＡ、ゲーム機など、種々の情報処理端末に利用することができ、産業上の利用可能性を有する。
【図面の簡単な説明】
【００７３】
【図１】実施形態１における携帯電話機の構成を示すブロック図である。
【図２】実施形態１における携帯電話機の構成を示す機能ブロック図である。
【図３】撮影データの変換例を示す図である。
【図４】撮影データの変換例を示す図である。
【図５】撮影データの変換例を示す図である。
【図６】実施形態１における携帯電話の動作を示すフローチャートである。
【図７】実施形態１における携帯電話の表示画面の遷移を示す図である。
【図８】実施形態２における携帯電話機の構成を示す機能ブロック図である。
【図９】実施形態２における携帯電話の動作を示すフローチャートである。
【図１０】実施形態２における携帯電話の表示画面の遷移を示す図である。
【図１１】実施形態３における携帯電話機の構成を示す機能ブロック図である。
【図１２】実施形態３における携帯電話の動作を示すフローチャートである。
【図１３】実施形態３における携帯電話の表示画面の遷移を示す図である。
【図１４】実施形態４における情報処理端末の構成を示す機能ブロック図である。
【符号の説明】
【００７４】
１  携帯電話
２  カメラ部
３  操作部
４  表示部
５  ＣＰＵ
６  メモリ
７  無線部
８  外部Ｉ／Ｆ部
５１  撮影処理部
５２  変換指示受付処理部
５３  解析・変換処理部
５４  データ出力処理部
６１  撮影データ記憶部
６２  解析ルール記憶部
６３  変換定義記憶部
６４  変換データ記憶部
６５  アドレスデータ記憶部
１００  情報処理端末
【図１】
0005003469.tif 000002
【図２】
0005003469.tif 000003
【図３】
0005003469.tif 000004
【図４】
0005003469.tif 000005
【図５】
0005003469.tif 000006
【図６】
0005003469.tif 000007
【図７】
0005003469.tif 000008
【図８】
0005003469.tif 000009
【図９】
0005003469.tif 000010
【図１０】
0005003469.tif 000011
【図１１】
0005003469.tif 000012
【図１２】
0005003469.tif 000013
【図１３】
0005003469.tif 000014
【図１４】
0005003469.tif 000015